(57)【要約】【課題】分割止め輪をエスカレータステップ軸に容易に着脱できる分割止め輪取付工具を提供する。【解決手段】分割止め輪取付工具は、プライヤの顎部が、分割止め輪の工具係合部に半円環状部分を組み合わせる力を与える周方向係合面を備え、顎部に設けたコ字形断面の溝が、分割止め輪の軸方向に両面から当接する軸方向係合面を備えている。コ字形断面の溝は、顎部に設けられた２枚の板部材で形成され、上記板部材の少なくとも一方の厚さが、分割止め輪と他の部材との間の間隙内に配置され得るような厚さである。【効果】分割止め輪をエスカレータステップ軸に対して容易に着脱することができる。【選択図】図１
2011189482.tif 000002
【特許請求の範囲】
【請求項１】
それぞれ工具係合部を持つ一対の半円環状部分を備え、エスカレータのステップ軸上で互いに円環状に組み合わされて保持される分割止め輪をステップ軸上に取り付けるために、互いに枢着されてそれぞれ上記分割止め輪の上記係合部に係合する顎部および上記顎部を開閉するためのハンドル部を持つ一対のレバーを備えたエスカレータステップ軸分割止め輪取付工具において、
上記顎部が、上記分割止め輪の上記工具係合部に上記分割止め輪の周方向および径方向の少なくともいずれか一方の方向から当接して上記半円環状部分に互いに組み合わされる作用力を与える周方向係合面と、上記分割止め輪の軸方向の両側面に当接する軸方向係合面とを備えていることを特徴とするエスカレータステップ軸分割止め輪取付工具。
【請求項２】
上記顎部がコ字形断面の溝を備え、上記周方向係合面が上記顎部の対向面であり、上記軸方向係合面が上記溝の側面であることを特徴とする請求項１に記載のエスカレータステップ軸分割止め輪取付工具。
【請求項３】
上記コ字形断面の溝が上記顎部に設けられた２枚の板部材で形成され、少なくとも一方の上記板部材の厚さが、上記分割止め輪の側面と上記分割止め輪で止められるべき他の部材との間の間隙内に配置され得るような厚さであることを特徴とする請求項１あるいは２に記載のエスカレータステップ軸分割止め輪取付工具。
【請求項４】
上記レバーが、上記顎部の開度を固定するためのロック機構を備えていることを特徴とする請求項１〜３のいずれか一項に記載のエスカレータステップ軸分割止め輪取付工具。
【発明の詳細な説明】
【技術分野】
【０００１】
この発明はエスカレータステップ軸分割止め輪取付工具に関するものである。
【背景技術】
【０００２】
エスカレータのステップは、両端にステップローラを持つステップ軸によってガイドレール上に支持されて、ステップ軸に連結されて駆動機構によって駆動されるステップリンクあるいはチェーンによって互いに連結されていて、ガイドレールに沿って駆動される。ステップ軸には、このようなステップローラおよびステップリンク以外に他の機器のための導電ブッシュなどが取り付けられているが、これらの部材をステップ軸上で軸方向に移動しないようにするためには、ステップ軸の周方向溝に嵌め込まれた止め輪が用いられている。
【０００３】
このような止め輪のうち、少なくともステップリンクを止めるための止め輪としては、エスカレータの左右両側のステップリンクのそれぞれの両側に配置されていて、一対の半円環状部分からなり、エスカレータのステップ軸を囲むように互いに円環状に組み合わされて周方向溝内に保持される分割止め輪が用いられるのが一般的である。それぞれの半円環状部分の両端外周部にはプライヤ等の取付工具を係合させるための切欠である係合凹部が設けられている。
【０００４】
従来、このような分割止め輪をステップ軸上に着脱するためには、一般にウォーターポンププライヤが用いられていた。ウォーターポンププライヤは、互いに枢着されてそれぞれ分割止め輪に形成された係合凹部に係合する顎部および顎部を開閉するためのハンドル部を持つ一対のレバーを備えた周知のプライヤである（例えば特許文献１参照）。
【０００５】
このようなウォーターポンププライヤを用いて分割止め輪をエスカレータのステップ軸上に取り付けるためには、止め輪の第１の半円環状部分をステップ軸の止め輪溝に挿入してステップ軸を半周囲むように配置し、この第１の半円環状部分の一方のフック部だけに第２の半円環状部分の一方のフック部を噛み合わせて連結する。この状態では、第１の半円環状部分の他方のフック部と第２の半円環状部分の他方のフック部とは組み合わされていない。次に組み合わされていない両フック部の側の係合凹部にそれぞれプライヤの顎部の先端を係合させ、ハンドル部を握って顎部を閉じると、両フック部が互いに相手を乗り越えて噛み合ってその位置で弾性的に保持され、２つの半円環状部分がステップ軸の止め輪溝内で円環状に組み合わされて保持される。止め輪溝から径方向外側に突出した部分がステップリンクの軸方向の移動を阻止するストッパの作用をするのである。
【先行技術文献】
【特許文献】
【０００６】
【特許文献１】特開２００７−２２９９１６号公報
【発明の概要】
【発明が解決しようとする課題】
【０００７】
しかしながら、このようなウォーターポンププライヤの顎部は分割止め輪の係合凹部に係合させるのが困難であり、また係合できたとしても、取付のためにウォーターポンププライヤに力を加えると、顎部が係合凹部に対して分割止め輪の周方向あるいは軸方向に滑って係合が外れてしまうことがあった。これは係合凹部自体が小さくてプライヤの顎部で掴むことが困難であるからだけでなく、止め輪自体に弾性があって反撥力があるからでもあり、また分割止め輪には軸方向に隣接してステップリンクあるいはワッシャが配置されているために、顎部の角部すなわち幅方向の端部の僅かな部分でだけしか掴むことができないこともあるからである。このため、分割止め輪の取付作業は、熟練者が細心の注意を払って行わねばならない時間の掛かる作業であった。
【０００８】
従ってこの発明の目的は、分割止め輪をエスカレータステップ軸に対して容易に取付けることができるエスカレータステップ軸分割止め輪取付工具を提供することである。
【課題を解決するための手段】
【０００９】
この発明によれば、エスカレータステップ軸分割止め輪取付工具は、それぞれ工具係合部を持つ一対の半円環状部分を備え、エスカレータのステップ軸上で互いに円環状に組み合わされて保持される分割止め輪をステップ軸上に取り付けるために、互いに枢着されてそれぞれ上記分割止め輪の上記係合部に係合する顎部および上記顎部を開閉するためのハンドル部を持つ一対のレバーを備えたエスカレータステップ軸分割止め輪取付工具において、上記顎部が、上記分割止め輪の上記工具係合部に上記分割止め輪の周方向および径方向の少なくともいずれか一方の方向から当接して上記半円環状部分に互いに組み合わされる作用力を与える周方向係合面と、上記分割止め輪の上記工具係合部に上記分割止め輪の軸方向に当接する軸方向係合面とを備えていることを特徴とするものである。
【発明の効果】
【００１０】
この発明のエスカレータステップ軸分割止め輪取付工具によれば、分割止め輪をエスカレータステップ軸に対して容易に着脱することができる。
【図面の簡単な説明】
【００１１】
【図１】この発明のエスカレータステップ軸分割止め輪取付工具の実施の形態を分割止め輪と共に示す概略側面図である。
【図２】図１のエスカレータステップ軸分割止め輪取付工具の顎部の拡大斜視図である。
【図３】図１のエスカレータステップ軸分割止め輪取付工具の使用例を示す概略側面図である。
【図４】図３の線ＩＶ−ＩＶに沿った断面図である。
【発明を実施するための形態】
【００１２】
以下、この発明をより詳細に説明するため、この発明の実施の形態を添付の図面を参照して説明する。なお、各図中、同一又は相当する部分には同一の符号を付しており、その重複説明は適宜に簡略化ないし省略する。また、図中、各部の形状および寸法は理解を容易にするために誇張したり変型したりしてある。
【００１３】
実施の形態１．
図１−４において、この発明のエスカレータステップ軸分割止め輪取付工具１が取り扱う分割止め輪２は、一対の半円環状部分３および４が、エスカレータのステップ軸５上で図１および図３に示すように互いに円環状に組み合わされて保持されて、図４に示すように、ステップリンク６を例えばワッシャ７等を介してステップ軸５上に取り付けるための止め輪である。半円環状部分３および４は、それぞれ一端に径方向内向きに開いたフック状の内向き噛み合い部８と、この内向き噛み合い部８と相補形状で噛み合うことのできる径方向外向きに開いたフック状の外向き噛み合い部９とを備えていて、ステップ軸５の止め輪溝内で、内向き噛み合い部８が外向き噛み合い部９のフックを乗り越えて弾性的に嵌り合って、互いに噛み合わされた状態では、この噛み合いが外れることがなく、円環状の止め輪として作用する。半円環状部分３および４の外周部で内向き噛み合い部８および外向き噛み合い部９に近い位置には、切り込み凹部である工具係合部１０が設けられている。
【００１４】
エスカレータステップ軸分割止め輪取付工具１は、いわゆるプライヤであって、互いに枢軸１１によって枢着されてそれぞれ分割止め輪２の工具係合部１０に係合する顎部１２およびこの顎部１２を手で握って開閉するためのハンドル部１３を持つ一対のレバー１４を備え、顎部１２で分割止め輪２を咥えて力を加え、弾性変形させてステップ軸５上に取り付けたり取り外したりするための工具である。
【００１５】
この発明によれば、エスカレータステップ軸分割止め輪取付工具１の顎部１２は、図２に示すような形状にされていて図１あるいは図３に示すように、分割止め輪２の工具係合部１０に分割止め輪２の周方向および径方向の少なくともいずれか一方の方向から当接して半円環状部分３および４に互いに組み合わされる作用力を与える周方向係合面１５と、分割止め輪２の軸方向の両側面１６に当接する互いに対向する軸方向係合面１７とを備えている。これらの周方向係合面１５は、一対の顎部１２の互いに向き合った対向面即ち内側面であり、２つの軸方向係合面１７は対向面に設けられたコ字形断面の溝１８側面によって形成されている。図示の例では、コ字形断面の溝１８は、顎部１２の先端面から長さ方向に設けられた２枚の平行な板部材１９で形成されている。
【００１６】
少なくとも一方の板部材１９の厚さは、図４に示すような分割止め輪２の側面１６と分割止め輪２で止められるべきステップリンク６あるいはワッシャ７などの他の部材との間の間隙内に配置され得るように十分小さいが、分割止め輪２の軸方向変位を防ぐには十分な強度を有するような厚さである。また板部材１９の顎部１２から突出する寸法は、図３に示すように顎部１２を分割止め輪に係合させた状態で板部材１９がステップ軸５に当たらないようにしてある。板部材１９の間隔即ち溝１８の幅は分割止め輪２の厚さと等しくしてある。このような顎部１２の寸法の一例は図４に示す通りである。
【００１７】
エスカレータステップ軸分割止め輪取付工具１はまた、一対のレバー１４間の距離を調節可能に制限してハンドル部１３に力を加えても顎部１２が閉じてしまわないように、顎部１２の開度を固定するためのロック機構２０を備えている。図示の例ではロック機構２０はレバー１４の一方にネジ係合して先端が他方のレバー１４に当接している調節ネジであるが、長さ調節可能なロッドの両端をレバー１４に連結するもの、ロッドと長穴あるいは複数の穴とを組み合わせてロッドと係合する穴の位置を選択して調節するものなど、その他の様々な周知の機構を使用することができる。
【００１８】
このようなエスカレータステップ軸分割止め輪取付工具１を用いる場合の取付作業例は次の通りである。先ず、分割止め輪２の第１の半円環状部分３の外向き噛み合い部９と第２の半円環状部分４の内向き噛み合い部８とだけをかみ合わせた状態で、ステップ軸５の止め輪溝内に挿入し、噛み合わされていない側の、第２の半円環状部分４の外向き噛み合い部９の径方向外側に第１の半円環状部分３の内向き噛み合い部８を乗せた状態にする。この状態で、図３に示すように、エスカレータステップ軸分割止め輪取付工具１の一方の顎部１２の溝１８の底面と周方向係合面１５とが分割止め輪２の工具係合部１０にそれぞれ突き当たるようにして係合させ、他方の顎部１２も同様に工具係合部１０に係合させる。このとき、図３および４に示すように、顎部１２は分割止め輪２の周方向に周方向係合面１５で係合しているだけでなく、顎部１２の板部材１９が分割止め輪２とワッシャ７との間に入り込んで分割止め輪２に軸方向両側から軸方向係合面１７で係合しているため、分割止め輪２と顎部１２との係合関係が外れることが無い。
【００１９】
この状態でエスカレータステップ軸分割止め輪取付工具のハンドル部１３を握って力を加えると、顎部１２が閉じて、分割止め輪２の第１の半円環状部分３の内向き噛み合い部８が第２の半円環状部分４の外向き噛み合い部９の外周を滑りながら移動してフック状部分を乗り越えて、フック状部分である内向き噛み合い部８と外向き噛み合い部９とが互いに弾性的に噛み合わされて嵌り合い、特別な力を加えない限り噛み合いが外れることのない円環状の止め輪となる。
【００２０】
分割止め輪２をステップ軸５から取り外す際には、互いに嵌合した内向き噛み合い部８と外向き噛み合い部９との間に外周部から例えばマイナスドライバ差し込んでフック状部分を僅かに持ち上げ、持ち上げられた半円環状部分３の側面１６をこのエスカレータステップ軸分割止め輪取付工具１の顎部１２で掴んで径方向外向きに力を加えて取り外すことができる。
【００２１】
以上に図示して説明したエスカレータステップ軸分割止め輪取付工具は単なる例であって様々な変形が可能であり、またそれぞれの具体例の特徴を全てあるいは選択的に組み合わせて用いることもできる。例えば、既存のプライヤを利用してこの発明のエスカレータステップ軸分割止め輪取付工具を製造する場合には、プライヤの顎部の側面から例えば１ｍｍだけ距離をおいてコ字形断面の溝を加工して板部材１９に相当する部分を形成することができる。この溝を顎部の両側面側に設ければ、ステップリンクに対して左右いずれの側に配置された分割止め輪に対しても用いることができる。また、分割止め輪２の軸方向の両側面１６に当接する互いに対向する軸方向係合面１７をＵ字形に曲げた板部材で作り、これを既存のプライヤの顎部にコ字形に折り曲げた板部材を取り付けることもできる。
【産業上の利用可能性】
【００２２】
この発明はエスカレータステップ軸分割止め輪取付工具として利用できるものである。
【符号の説明】
【００２３】
１  エスカレータステップ軸分割止め輪取付工具、２  分割止め輪、３  半円環状部分、４  半円環状部分、５  ステップ軸、６  ステップリンク、７  ワッシャ、８  内向き噛み合い部、９  外向き噛み合い部、１０  工具係合部、１１  枢軸、１２  顎部、１３  ハンドル部、１４  レバー、１５  周方向係合面、１６  側面、１７  軸方向係合面、１８  溝、１９  板部材、２０  ロック機構。
【図１】
2011189482.tif 000003
【図２】
2011189482.tif 000004
【図３】
2011189482.tif 000005
【図４】
2011189482.tif 000006